(57)【要約】      （修正有）【課題】歯科技工分野において歯科光硬化性材料に光を照射し硬化させる重合装置に関し、青色発光ダイオードのみを用いて照射した場合、少ないエネルギー量で硬化させるので光硬化性材料の温度はあまり上昇しないため、ラジカルの発生が不足し硬化が不十分になる危険性がある等の欠点を解消した重合装置を提供する。【解決手段】照射光源により歯科用補綴物を硬化させる技工用光重合医器において、照射光源と歯科用補綴物を加温する加温手段を備えるようにする。【選択図】図１
2005161002.tif 000002
【特許請求の範囲】
【請求項１】
照射光源により歯科用補綴物を硬化させる技工用光重合器において、照射光源と歯科用補綴物を加温する加温手段を備えてなることを特徴とする技工用光重合器。
【請求項２】
前記照射光源に複数個の発光ダイオードを用いたことを特徴とする請求項１に記載の技工用光重合器。
【請求項３】
前記複数個の発光ダイオードがピーク波長の異なる発光ダイオードの組み合わせによって構成されることを特徴とする請求項２記載の技工用光重合器。
【請求項４】
前記加温手段として赤外線ＬＥＤを用いたことを特徴とする請求項１乃至２に記載の技工用光重合器。
【請求項５】
前記加温手段としてハロゲンヒータを用いたことを特徴とする請求項１乃至２に記載の技工用光重合器。
【請求項６】
歯科用補綴物の温度を検知し、一定温度以上にならないよう加温手段を制御する制御手段を備えてなることを特徴とする請求項１乃至４記載の技工用光重合器。
【発明の詳細な説明】
【技術分野】
【０００１】  本発明は、光硬化性材料を硬化させるための光源を有する宝飾業界、歯科業界などで使用される技工用光重合器である。
特に本発明は、歯科技工分野において歯科光硬化性材料に光を照射し硬化させる重合装置に関する。
【背景技術】
【０００２】  従来歯科技工分野において、技工士が歯科光硬化性材料による口腔内で使用する光重合型歯冠修復物および歯科補綴物を作製するに当たり、これらの光硬化性材料を硬化させるために硬化に必要な波長域を含んだ光線を発生させる何らかの光源を搭載した技工用光重合器が必要不可欠である。【０００３】従来の技工用光重合器の照射光源としては、ハロゲンランプ・メタルハライドランプまたはキセノンランプなどが使用されている。しかしながら、該既存ランプは、ランプ劣化や球切れが生ずることが多かった。また、歯科補綴物の重合に不必要な波長域の熱線や可視光線を混在して発しているため、歯科補綴物が過熱され変色や変形を起こす危険性があり、且つ、歯科補綴物の温度制御も極めて困難であった。【０００４】  これらの危険性を回避するために特開２００３−３３３７４号には、発光ダイオードを光源とした光重合器が考案されている。
該発光ダイオードはピーク波長が４３０〜４８０ｎｍの範囲の青色発光ダイオードが用いられ、歯科で広く用いられているカンファーキノン（ＣＱ）等の光増感剤の吸収波長域に合致しており、既存ランプに比して非常に少ないエネルギー量で重合硬化できるとされている。
光硬化性材料は、ＣＱが励起した後、ラジカルが発生して重合物となるものであるが、ラジカルの発生には温度よる依存性が高く、一般的に温度が高い方がよくラジカルを発生させる。【０００５】
【特許文献１】特開２００１−２５３６３７
【特許文献２】特開２００２−１８６６３１
【発明の開示】
【発明が解決しようとする課題】しかしながら、青色発光ダイオードのみを用いて照射した場合、少ないエネルギー量で硬化させるので光硬化性材料の温度はあまり上昇しないため、ラジカルの発生が不足し硬化が不十分になる危険性がある。
また、青色発光ダイオードの数を増やして温度上昇のためのエネルギー量を確保する手法も考えられるが、青色光はエネルギー効率が低く、青色発光ダイオードを多数用いなければならない欠点があった。
尚、歯科において熱硬化性材料を硬化させる加熱重合器があるが、該重合器は概ね１００℃以上であり、該手法を光硬化性材料に用いた場合、変色・変形を生ずる危険性があるのは言うまでもない。
また、歯科光硬化性材料の光増感剤の多くはＣＱであるが、一部にはＣＱとは異なる重合波長域をもった光硬化性材料も開発されている。
アシルフォスフィンオキサイド（ＡＰＯ）を用いた光硬化性材料は３６０〜４２０ｎｍの光により重合硬化するが、青色発光ダイオード光のみでは完全な重合硬化物を得ることは出来ない問題がある。
【課題を解決するための手段】
【０００６】  本発明は、照射光源により歯科用補綴物を硬化させる技工用光重合器において、照射光源と歯科用補綴物を加温する加温手段を備えてなることを特徴とする技工用光重合器である。【０００７】  本発明は、上記技工用光重合器の照射光源に複数個の発光ダイオードを用いることを特徴とする技工用光重合器である。【０００８】本発明は、前記複数個の発光ダイオードがピーク波長の異なる発光ダイオードの組み合わせによって構成されることを特徴とする技工用光重合器である。
本発明は、加温手段として赤外線ＬＥＤを用いたことを特徴とする技工用光重合器である。
本発明は、上記技工用光重合器の加温手段に赤外線発光ダイオードを用いることを特徴とする技工用光重合器である。
本発明は、上記技工用光重合器の加温手段にハロゲンヒータを用いることを特徴とする技工用光重合器である。
本発明は、上記技工用光重合器において歯科用補綴物の温度を検知し、一定温度以上にならないよう加温手段を制御する制御手段を備えてなることを特徴とする技工用光重合器である。
【本発明の効果】
【０００９】歯科用光硬化性材料に対して、効果的な光照射をするための光重合器であって、特に技工用に優れた特性を有する。
本発明は、照射光源に歯科用補綴物を加温する加温手段を備えることによって、発光ダイオード等の低発熱光源による重合に際しても、硬化不良のない歯科用補綴物を作製することが出来るところに特徴がある。
本発明において、照射光源にピーク波長の異なる複数の発光ダイオードを用いることによって、所望する数種類の光硬化性材料を重合させることができ、術者は使用する光硬化性材料の種類を気にせずに技工操作をおこなうことが出来る。
【発明を実施するための最良の形態】
【００１０】  本発明の好ましい形態について、下記に示す。ただし、下記内容は好ましい範囲のものであり、下記に限定するものではない。
照射光源とは歯科用光硬化性材料を硬化させるために必要な波長域を含む光を発光する光源で、ＣＱを用いた材料の場合４３０〜４９０ｎｍの波長が強いもののがよく、ＡＰＯを用いた材料は３６０〜４２０ｎｍの波長が強いものがよい。
複数個の発光ダイオードの総光出力は３〜２０Ｗのものが好ましく、５〜１０Ｗのものであるとより好適である。
さらに好ましくは該複数個の発光ダイオードは、ピーク発光波長の異なる複数の発光ダイオードの組み合わせにより構成され、所望する数種類の光硬化性材料の硬化に好適な配合とすることが好ましい。
尚、複数個の発光ダイオードチップを高密度に集積した高出力発光ダイオードにおいては、ピーク発光波長のことなる数種類の発光ダイオードチップを集積したものとしてもよい。【００１１】加温手段とは、歯科用補綴物の温度を上昇させる手段である。
上昇温度は、重合終了時で６０〜９０℃が好ましく、さらに好ましくは７０〜８０℃である。【００１２】加温手段は速やかに歯科用補綴物の温度を上昇させることが好ましく、エネルギー（熱線）を放射し直接歯科用補綴物を加温する熱源がより好ましい。
好ましくはハロゲンランプで、色温度が３０００Ｋ以下ものがより好ましい。
さらに好ましくは赤外線ＬＥＤで、８５０〜９５０ｎｍにピーク発光波長があるものが好適である。
加温手段の総エネルギー出力は５〜３０Ｗのものが好ましく、１０Ｗ〜２０Ｗのものであるとより好適である。【００１３】  制御手段とは、歯科用補綴物が一定温度以上にならないよう加温手段を制御するをものである。
制御手段は、検知部と制御部が設けられている。
検知部は離れた場所にある歯科用補綴物の温度を検知する機構であり、赤外線センサーやＣＣＤセンサーが好適である。
制御部は、検知部にて検知された歯科用補綴物の温度により、加温手段の電源のＯＮ−ＯＦＦや出力制御を行うものである。
尚、歯科用補綴物の温度上昇が把握できる場合は、検知部を設けず、予めプログラムされた加温パターンの制御のみを行っても良い。【００１４】（本発明の構成）
本発明の技工用光重合器は、４個の高出力発光ダイオードをアルミ材（幅５．５センチ、高さ１０センチ、厚さ３ミリ）に設置した取付板を４枚準備し、歯科補綴物を載置する回転テーブルを囲うように取付板を設置し筐体内に納め、回転テーブルに補綴物の出し入れが出来るように開閉扉を設けた。
４枚の取付板で、２枚にはピーク発光波長が４６０ｎｍの高出力発光ダイオード、１枚にはピーク発光波長が３８０ｎｍの高出力発光ダイオード、残り１枚にはピーク発光波長が９４０ｎｍの高出力発光ダイオードを用いている。
それぞれの高出力発光ダイオードは、回転テーブル上の重合エリア（直径８センチ、高さ４センチ）を照射するように設定した。
重合エリアの上方には温度センサを設置し、歯科補綴物の温度検知が９０℃以上になると、内蔵の制御回路により９４０ｎｍの高出力発光ダイオードの照射を中断するよう設定した。
【図面の簡単な説明】
【００１５】
【００１６】
【図１】技工用光重合器の筐体中の照射光源用発光ダイオードと加温用発光ダイオードと温度センサーを配置した配置図
【符号の説明】
【００１７】１  照射光源用発光ダイオードＡ（ピーク波長４７０ｎｍ）
２  照射光源用発光ダイオードＢ（ピーク波長３８０ｎｍ）
３  加温用発光ダイオード（ピーク波長９７０ｎｍ）
４  温度センサー
【図１】
2005161002.tif 000003